(57)【要約】【課題】キャラクタまたはその表現を楽しむことができ、耐衝撃性のあるスマートフォン用のカバーを提供する。【解決手段】スマートフォン１の四方のコーナー５と四方の側面４とを覆うカバー１０を提供する。このカバーは、四方のコーナーのそれぞれに、キャラクタ２５を描くスペース２８を確保するようにそれぞれのコーナーから突出したキャラクタ描画部２０を有する。四方のキャラクタ描画部の少なくとも１つには、前方および後方にそれぞれ異なるキャラクタまたは表現の異なるキャラクタが表示されている。【選択図】図２
0003206818.tif 000002
【実用新案登録請求の範囲】
【請求項１】
スマートフォンの四方のコーナーと四方の側面とを覆うカバーであって、
前記四方のコーナーのそれぞれに、キャラクタを描くスペースを確保するようにそれぞれのコーナーから突出したキャラクタ描画部を有するカバー。
【請求項２】
請求項１において、
前記四方のキャラクタ描画部の少なくとも１つには、前方および後方にそれぞれ異なるキャラクタまたは表現の異なるキャラクタが表示されている、カバー。
【請求項３】
請求項１または２において、
前記キャラクタ描画部には、対角方向を向くように前記キャラクタが表示されている、カバー。
【請求項４】
請求項１ないし３のいずれかにおいて、
前記キャラクタ描画部は、前記四方の側面を覆う部分よりも厚い、カバー。
【請求項５】
請求項４において、
前記キャラクタ描画部は、厚みよりも対角方向が長い、カバー。
【請求項６】
請求項１ないし５のいずれかにおいて、
前記四方の側面を覆う部分は、前記四方のコーナーの前記キャラクタ描画部を接続する伸縮性で、前記四方の側面の縁をカバーする２本の紐状の部分を含む、カバー。
【請求項７】
請求項６において、
当該カバーは複数のサイズの異なるスマートフォンに装着できる、カバー。
【考案の詳細な説明】
【技術分野】
【０００１】
本考案は、スマートフォンの四方のコーナーと四方の側面とを覆うカバーに関するものである。
【背景技術】
【０００２】
特許文献１には、緩衝機能を備えた携帯端末機のケースを提供することが記載されている。このため、特許文献１の発明は緩衝機能を備えた携帯端末機のケースに関し、携帯端末機を包むメインケースの背面に緩衝ケースが結合され、緩衝ケースに固定部材が結合され、固定部材の端部に装飾部材が装着される構造であり、このために外部から不意に加えられた衝撃力を效果的に分散させて携帯端末機内部の精密部品を保護することができ、ケースの背面を效果的に活用して美感を高めることによって需要者のコレクション及び購買欲求を刺激できるようにする緩衝機能を備えた携帯端末機のケースを提供するためのものである。
【先行技術文献】
【特許文献】
【０００３】
【特許文献１】特開２０１２−２２７９０５号公報
【考案の概要】
【考案が解決しようとする課題】
【０００４】
多彩なキャラクタまたはその表現を１つのカバーで楽しむことができる耐衝撃機能を備えたスマートフォン用のカバーを提供する。
【課題を解決するための手段】
【０００５】
本考案の一態様は、スマートフォンの四方のコーナーと四方の側面とを覆うカバーである。このカバーは、四方のコーナーのそれぞれに、キャラクタを描くスペースを確保するようにそれぞれのコーナーから突出したキャラクタ描画部を有する。
【０００６】
このカバーは、スマートフォンの四方のコーナーを覆うキャラクタ描画部のそれぞれにキャラクタを表示できる。このため、１つのカバーで少なくとも４つの異なるキャラクタ、または同じキャラクタの異なる表現、表情などをそれぞれ独立した場所で楽しむことができる。さらに、それぞれのキャラクタ描画部が、スマートフォンが最もショック（衝撃）を受けやすいコーナー部に形成されているため、このキャラクタ描画部がスマートフォンのショックアブソーバー（衝撃吸収材、衝撃緩衝材）としての機能も果たす。したがって、実用的でありながら、多種多彩なキャラクタおよびその表現を楽しむことができるスマートフォン用のカバーを提供できる。
【０００７】
このカバーの四方のキャラクタ描画部の少なくとも１つには、前方および後方（表裏）にそれぞれ異なるキャラクタまたは表現の異なるキャラクタが表示されていてもよい。スマートフォンに装着すると、スマートフォンの前方（表面側）と後方（裏面側）とで、異なるキャラクタ、または同じキャラクタで表情、態様の異なるデザインを楽しむことができる。また、スマートフォンの前方および後方にキャラクタが描画されているので、スマートフォンを使用中でも友達や周囲などに裏面側のキャラクタをアピールできる。さらに、この前方および後方のキャラクタにより、スマートフォンのどちら側の面からでも自分のスマートフォンを他人のスマートフォンに対し認識しやすい。
【０００８】
また、このキャラクタ描画部には対角方向を向くようにキャラクタが表示されていてもよい。カバーをスマートフォンに装着すると、コーナーに表示されたそれぞれのキャラクタがスマートフォンの中心方向を向くので、スマートフォンを回転させて使用、操作しても、また、カバーをどの向きでスマートフォンに取り付けても、コーナーのキャラクタの向きが不自然ではなく、キャラクタの表現を楽しめる。
【０００９】
キャラクタ描画部は、四方の側面を覆う部分よりも厚くてもよい。スマートフォンにカバーを取り付けたときに四隅のキャラクタ描画部でスマートフォンを支持できるのでスマートフォンの前後（表裏）の面、特に表示面を保護できる。キャラクタ描画部は、厚みよりも対角方向が長くてもよい。落下したときに、スマートフォンのコーナー部分をコーナー部分から対角方向に張り出したキャラクタ描画部により保護でき、キャラクタ描画部が耐衝撃性を高めるカバーを提供できる。また、キャラクタ描画部のキャラクタを描く面を拡大できるので、キャラクタをいっそう大きく強調して表示できる。
【００１０】
カバーの四方の側面を覆う部分は、四方のコーナーのキャラクタ描画部を接続する伸縮性があり、四方の側面の縁をカバーする２本の紐状の部分を含んでもよい。四方の側面を覆う部分が伸縮するので複数のサイズの異なるスマートフォンに使用できるカバーを提供できる。また、カバーをスマートフォンに取り付けたときに、２本の紐状の部分の間に、スマートフォンの側面のスイッチ、スピーカー、イヤホンジャックなどが現れるので、スマートフォンの操作性を犠牲にすることなくキャラクタを楽しめ、落下などによる衝撃も緩和できるカバーを提供できる。さらに、複数の異なるサイズのスマートフォンに使用できるため、カバーの製造コストを下げられるとともに、サイズの異なるスマートフォンへの買い替え需要にも対応でき、お土産やプレゼントとしても便利なカバーを提供できる。
【図面の簡単な説明】
【００１１】
【図１】カバーの概略構成を示す斜視図であり、図１（ａ）は、下方向から表側を見た図、図１（ｂ）は、上方向から裏側を見た図。
【図２】スマートフォンに取り付けられたカバーの構成を示す斜視図。
【図３】スマートフォンに取り付けられたカバーの構成を示す平面図であり、図３（ａ）はスマートフォンの表面側から見た図、図３（ｂ）は裏面側から見た図。
【考案を実施するための形態】
【００１２】
図１に、スマートフォンに取り付けられるカバーの概略構成を斜視図により示している。図１（ａ）はカバー１０の下方向１２から前方１ｆ側（スマートフォンの表面側）を見た様子を示し、図１（ｂ）は上方向１１から後方１ｂ側（スマートフォンの裏面側）を見た様子を示している。このカバー１０は、図２に示すスマートフォン（スマホ）１、たとえばアップル社製のスマートフォン（登録商標「ｉＰｈｏｎｅ」）の四方のコーナー５および四方の側面４を覆うように取り付けられるスマートフォン１の保護用のカバー（ケース、バンパーケース）１０である。カバー１０が取り付けられるスマートフォン１は、アップル社製のスマートフォンに限られない。
【００１３】
カバー１０は、スマートフォン１の四方のコーナー５のそれぞれに、キャラクタ２５を描くスペース２８を確保するようにそれぞれのコーナー５から突出したキャラクタ描画部２０を有する。さらに、カバー１０は、四方のコーナー５に配置されたキャラクタ描画部２０のそれぞれを接続（連結）し、主にスマートフォン１の四方の側面４を覆う部分（接続部、連結部）３０を有する。このため、４つのコーナー５に配置されたキャラクタ描画部２１、２２、２３および２４を、４つの接続部３１、３２、３３および３４でそれぞれ接続することにより、スマートフォン１の四方のコーナー５および四方の側面４を覆うカバーを構成している。キャラクタ描画部２０と接続部３０とは、シリコン樹脂で一体成形されている。
【００１４】
キャラクタ描画部２０のそれぞれのキャラクタ描画部２１〜２４は、スマートフォン１のそれぞれのコーナー５を覆うように構成され、厚みｔよりも対角方向（スマートフォン１の表面２に水平な方向）のサイズｄが長い（大きい）、前後方向１ｆおよび１ｂにつぶれた球状（楕円体状）である。このため、表側（前方）１ｆおよび裏側（後方）１ｂにキャラクタ２５を描画するスペース（面積、領域）２８を拡大できる。さらに、キャラクタ描画部２０は、接続部（四方の側面を覆う部分）３０よりも厚くなるように構成されている。
【００１５】
四方のキャラクタ描画部２０は、１つのキャラクタ描画部２０にのみキャラクタ２５が表示されていてもよいが、２つ以上のキャラクタ描画部２０、たとえば全てのキャラクタ描画部２１〜２４にキャラクタ２５を配置することにより、多彩なキャラクタ２５またはその多彩なキャラクタ２５の表現を楽しむことができる。さらに、四方のキャラクタ描画部２０の少なくとも１つは、スマートフォン１の前方１ｆおよび後方１ｂにそれぞれ異なるキャラクタ２５または表現の異なるキャラクタ２５が表示されている。図１においては、キャラクタ描画部２１および２３の両面（前方１ｆおよび後方１ｂ）側にそれぞれ異なるキャラクタ２５が描画されている。後方１ｂ側にキャラクタ２５が表示されるキャラクタ描画部２０の数は、１つでも良く、３つまたは４つ全てであってよい。
【００１６】
さらに、キャラクタ描画部２０には、それぞれの対角方向２６を向くようにキャラクタ２５が表示されている。図１においては、４つのキャラクタ２５が中心Ｃ方向を向くように表示されているが、中心Ｃとは反対の外向きであったり、それぞれ隣接する連結部３０の方を向いていたりしてもよい。
【００１７】
４つのキャラクタ描画部２１〜２４のうちのキャラクタ描画部２２の後方１ｂ側には、スマートフォン１のレンズ９（図３参照）の形状に沿って切り欠き部２７が設けられている。切り欠き部２７を設けることによりキャラクタ描画部２２が撮影等の邪魔になり難い。
【００１８】
接続部３０のそれぞれの接続部３１〜３４は、四方のコーナー５のそれぞれのキャラクタ描画部２１〜２４をそれぞれ接続し、スマートフォン１の四方の側面４の両長辺の縁をカバーする（覆う）２本の紐状の部分３７および３８と、紐状の部分３７および３８の間に形成され、側面４の長辺方向に延びる細長い開口部（隙間部）３５とを含む。カバー１０はシリコン樹脂（シリコンラバー、シリコンゴム）で形成されているため、接続部３０は、２本の紐状の部分３７および３８とその間の開口部３５との形状により伸縮性があり、さらに、スマートフォン１を操作したり、持ち運んだりする際に、スマートフォン１の滑り止めとしても機能する。
【００１９】
図２に、スマートフォン１に取り付けられたカバー１０の構成をスマートフォン１の下方側１２から表面２側を見た斜視図により示している。図３に、スマートフォン１に取り付けられたカバー１０の構成を平面図により示している。図３（ａ）はスマートフォン１の表面２側から見た様子を示し、図３（ｂ）は裏面３側から見た様子を示している。カバー１０がスマートフォン１に装着されていない状態では、カバー１０はスマートフォン１の外形よりサイズが小さくコンパクトな形状である。しかし、カバー１０は、リコン樹脂（シリコンラバー）で形成されており、さらに接続部３０の伸縮性を活かして、複数のサイズの異なるスマートフォン１（例えば、ｉＰｈｏｎｅ（登録商標）５ｓ、６ｓ、６ｓＰｌｕｓの３サイズ）に装着して、使用できる。
【００２０】
スマートフォン１の四方のコーナー５に配置される４つのキャラクタ描画部２１〜２４のそれぞれのスペース２８には、アニメ、マンガ、ゲームなどのキャラクタ２５が描画される。４つのキャラクタ描画部２１〜２４のそれぞれに異なるキャラクタ２５を描画したり、同じキャラクタ２５の異なる表情、異なる表現、異なる部位を表示したりすることにより、少なくとも４つのキャラクタ（キャラクタのデザイン）２５をそれぞれ独立して楽しむことができる。さらに、スマートフォン１の前後（表側１ｆおよび裏側１ｂ）に異なるキャラクタ２５を表示したり、表現の異なるキャラクタ２５を描画することにより、スマートフォン１を操作等しながら自ら前方１ｆのキャラクタ２５を楽しめるとともに、裏側１ｂのキャラクタ２５を友達や周囲に見せたり、アピールしたりできる。また、前方１ｆおよび後方１ｂにキャラクタ２５を表示することにより、スマートフォン１のどちら側の面からでも自分のスマートフォン１を他人のスマートフォンに対して認識しやすい。
【００２１】
さらに、キャラクタ描画部２０に表示されるキャラクタ２５は、それぞれの対角方向２６を向くように表示されているため、カバー１０がスマートフォン１に装着されると、スマートフォン１のコーナー５に表示されたキャラクタ２５はスマートフォン１の中心Ｃ方向を向く。したがって、スマートフォン１を回転させて使用したり、操作したりしても、キャラクタ２５の向きが不自然にはならず、スマートフォン１をいずれの方向、向きで使用してもキャラクタ２５のデザインを楽しむことができる。さらに、キャラクタ２５がスマートフォン１の対角方向２６を向くように構成されているため、キャラクタ２５の向きが自然となるように維持しつつ、カバー１０をどの向き（上下および前後の向き）にでもスマートフォン１に装着できる。
【００２２】
キャラクタ描画部２０に描画されるキャラクタ２５は、キャラクタ描画部２０からわずかに飛び出すように立体的に一体形成されている。したがって、キャラクタ２５をさらに強調して表現できるとともに、飛び出したキャラクタ２５のデザインを手で触って楽しんだりできる。キャラクタ２５が立体的に表現されていても、キャラクタ描画部２０はスマートフォン１のコーナー５に配置されているため、スマートフォン１の操作等の障害にはなり難く、耐衝撃性をさらに高められる。
【００２３】
また、キャラクタ２５を表示するためのキャラクタ描画部２０がスマートフォン１から突出するように構成され、さらに、接続部３０よりも厚いため、スマートフォン１にカバー１０を装着したときに、４つのキャラクタ描画部２１〜２４でスマートフォン１を支持できる。したがって、スマートフォン１をテーブルの上などに置いた時などに、スマートフォン１の前後の面２および３、特に表面（表示面）２に傷が付いたり、汚れたりするのを抑制できる。このキャラクタ描画部２０は、スマートフォン１を立て掛けて使用する際の滑り止めとしても機能する。さらに、４つのキャラクタ描画部２１〜２４が、スマートフォン１に対する衝撃が加わりやすいコーナー５に形成（配置）されているため、このキャラクタ描画部２０がショックアブソーバー（衝撃緩衝材）としても機能する。
【００２４】
さらに、キャラクタ描画部２０は、厚みｔよりも対角方向のサイズｄが長くなるように構成されているため、スマートフォン１を落としたり、倒したりしても、ダメージを受けやすいスマートフォン１のコーナー５部分を、コーナー５から対角方向２６に張り出したキャラクタ描画部２０により保護でき、キャラクタ描画部２０が耐衝撃性をさらに高めるカバー１０を提供できる。さらに、キャラクタ２５を表示するスペース２８を拡大（拡張）できるため、キャラクタ２５のデザインをいっそう大きく強調して表示できる。また、対角方向２６のサイズｄを大きくすることにより、スマートフォン１をテーブルの上などに置いた際の安定性が高い。一方、スマートフォン１から突出するように構成され厚みが厚くなりがちなキャラクタ描画部２０の厚みｔを抑えることにより、スマートフォン１の操作、取扱いの邪魔になり難い。
【００２５】
さらに、キャラクタ描画部２１〜２４のサイズを変える、たとえば、キャラクタ描画部２１および２３のサイズを、キャラクタ描画部２２および２４のサイズより大きくすることにより、スマートフォン１を机の上などに置いたときにアンバランスを楽しむこともできる。その場合においても、キャラクタ描画部２０は、接続部３０の２本の紐状の部分３７および３８のみで接続されているので、キャラクタ描画部２０の装着角度に自由度があり、机の上などに安定して置くこともできる。
【００２６】
接続部３０のそれぞれの接続部３１〜３４は、スマートフォン１の四方の側面４の両長辺の縁をカバーする２本の紐状の部分３７および３８と、紐状の部分３７および３８の間に形成され、側面４の中央付近に長手方向に沿って延びる細長い開口部３５とを含む。このため、カバー１０をスマートフォン１に装着したときに、ダメージを受けやすいスマートフォン１の側面４の縁（端部）を紐状の部分３７および３８により保護できる。さらに、２本の紐状の部分３７および３８の間に形成された開口部３５を介して、スマートフォン１の側面４に配置されたスイッチ６類などを操作したり、コネクタ７ａおよび７ｂ等にアクセスしたり、スピーカー８やマイクなどから音を出したり、音を取り込んだりできる。連結部３３に設けられた開口部３５の端には、キャラクタ描画部２４との間に、イヤホンジャック７ｂ用の開口３６が設けられており、回数が多くなりがちなイヤホンの抜き差しをよりスムーズにおこなえる。したがって、カバー１０は、スマートフォン１の操作性を犠牲にすることなく、キャラクタ２５を楽しめるとともに、スマートフォン１に対する衝撃（ダメージ）を緩和できる。
【００２７】
さらに、接続部３０は伸縮性があり、接続部３０の開口部３５はそれぞれ両端のキャラクタ描画部２０まで延びているため、スマートフォン１のサイズによらず、開口部３５を介してスイッチ６等を操作できるとともに、スイッチ６等の位置が異なるスマートフォン１に対してもカバー１０を使用できる。したがって、１つのカバー１０で複数のサイズの異なる、または複数の種類の異なるスマートフォン１に対して使用できる。このため、カバー１０の製造コストを抑えることができ、サイズの異なるスマートフォン１への買い替え需要にも対応でき、お土産やプレゼントとしても便利で経済的なカバーを提供できる。
【００２８】
さらに、カバー１０は、耐衝撃性が必要とされるスマートフォン１の主にコーナー５および側面４を覆う構成であるため、落下等による衝撃を緩和できるうえ、キャラクタ描画部２０に表示されたキャラクタ２５を強調してアピールできるとともに、カバー１０の間から視認できるスマートフォン１自体の外観も楽しむことができる。
【００２９】
なお、上記の説明においては、キャラクタ描画部２０の形状は楕円体状としたが、球状、四面体、六面体等であってもよく、キャラクタ２５の外形に沿った形状や、耳や角、しっぽ等が伸びた形状などであってもよい。さらに、キャラクタ描画部２１〜２４ごとに異なる形状にしてもよい。また、キャラクタ描画部２０に表示されるキャラクタ２５は、立体的でなくてもよく、印刷等されたものや、シールなどで着せ替えできるタイプのものであってもよい。オリジナルのカバーを作成できるともに、多彩なキャラクタのデザインを楽しめる。
【００３０】
さらに、キャラクタ描画部２０に表示されるキャラクタ２５は、上記以外にも、人物、ゆるキャラ、動物、植物、乗り物などであってもよい。
【００３１】
接続部３０の２本の紐状の部分３７および３８は、直線状でなくても、握りやすいような形状や、滑り難いように凸凹などが付いていたりしてもよい。さらに、キャラクタ描画部２０のキャラクタ２５にあわせて、手や足、羽などが伸びていたりしてもよく、接続部３０に模様、文字、キャラクタが表示されていてもよい。また、接続部３０を、ストラップをぶら下げるために使用することもできる。
【符号の説明】
【００３２】
１  スマートフォン
１０  カバー
２０  キャラクタ描画部、  ２５  キャラクタ
３０  四方の側面を覆う部分（接続部）
【図１】
0003206818.tif 000003
【図２】
0003206818.tif 000004
【図３】
0003206818.tif 000005